(57)【要約】【課題】複数のカードを挿着可能なコネクタ装置において、外部に突出するコネクタ端子の本数を減らすことが可能なカード用コネクタ装置を提供する。【解決手段】ホルダ部材４は、第２のカード１４が収納されて第２のカード１４の排出位置と第２のカード１４の挿着位置との間をスライド移動可能に配設されると共に、ホルダ部材４には一端側に第２のカード１４の外部接触片１４ａと接触可能な接点部５ｄを有し、他端側に接続部５ｃが形成された複数の第２のコネクタ端子５を並設し、第２のカード１４がホルダ部材４に収納されて第２のカード１４の挿着位置に移動することにより、第２のコネクタ端子１４の接続部５ｃと第１のコネクタ端子２の接点部２ｄとが接触して接続するようにした。【選択図】        図１
2005050615.tif 000002
【特許請求の範囲】
【請求項１】
異なる大きさの第１のカード及び第２のカードを挿着可能なハウジングと、このハウジングに並設され一端側に前記第１のカードの外部接触片と接触可能な接点部を有し、他端側が前記ハウジングから突出されて半田付け部が形成された複数の第１のコネクタ端子と、前記ハウジングに移動可能に配設されたホルダ部材とを備え、前記ホルダ部材は、前記第２のカードが収納されて第２のカードの排出位置と第２のカードの挿着位置との間をスライド移動可能に配設されると共に、前記ホルダ部材には一端側に前記第２のカードの外部接触片と接触可能な接点部を有し、他端側に接続部が形成された複数の第２のコネクタ端子を並設し、前記第２のカードが前記ホルダ部材に収納されて第２のカードの挿着位置に移動することにより、前記第２のコネクタ端子の接続部と前記第１のコネクタ端子の接点部とが接触して接続することを特徴とするカード用コネクタ装置。
【請求項２】
前記第１のカードは幅広肉厚に形成され、前記第２のカードは幅狭肉薄に形成され、前記ホルダ部材は前記第１のカードが前記ハウジングに挿入される際には、前記第１のカードの挿入に伴って、前記第１のカードの挿入を妨げない挿入軌跡外に移動すると共に、前記第１のカードが挿着位置に移動することにより、前記第１のカードの外部接触片と前記第１のコネクタ端子の接点部とが接触することを特徴とする請求項１記載のカード用コネクタ装置。
【請求項３】
前記ホルダ部材のカード挿入口側の端部には、カードの厚さ方向に傾斜する傾斜面部が形成され、前記第１のカードが前記ハウジングに挿入される際には、前記第１のカードの前端部が前記傾斜面部に当接して前記ホルダ部材が前記ハウジングの下方へ押し下げられることを特徴とする請求項２記載のカード用コネクタ装置。
【請求項４】
前記ハウジングには、前記ホルダ部材をカードの排出方向へ付勢する付勢部材と、ハート型カム溝と、このハート形カム溝に沿って摺動し前記ホルダ部材をカードの挿着位置に保持するロック部材とを備えたことを特徴とする請求項１記載のカード用コネクタ装置。
【請求項５】
前記ハウジングに、カードの挿入及び排出方向にスライド移動可能なスライド部材を備え、このスライド部材に前記ホルダ部材を当接させて前記ホルダ部材を前記第２のカードの排出位置と第２のカードの挿着位置との間をスライド移動可能に配設すると共に、前記スライド部材と前記ハウジングとの間に前記付勢部材及びハート型カム溝とロック部材とを設けたことを特徴とする請求項４記載のカード用コネクタ装置。
【請求項６】
前記スライド部材に、前記第１のカードを当接させて前記第１のカードをカードの排出位置とカードの挿着位置との間にスライド移動可能に配設したことを特徴とする請求項５記載のカード用コネクタ装置。
【発明の詳細な説明】
【０００１】
【発明の属する技術分野】
本発明は、携帯電話、ＰＣなど各種携帯情報端末、デジタルカメラ、デジタルＡＶ機器などのメモリー対応機器に用いられる小型メモリーカードなどに使用される、カード用コネクタ装置の構造に関する。
【０００２】
【従来の技術】
パーソナルコンピュータやデジタルカメラなどの電子機器の増設記録装置としてカード用コネクタ装置が一般的に使用されている。このカード用コネクタ装置の記憶媒体としてはＰＣカードやメモリーカードが広く使用さるようになってきている。
【０００３】
このＰＣカードやメモリーカードをカード用コネクタ装置に挿着して必要な情報の書き込み、及び読み取りを行うものであるが、近年においては、小型のメモリーカードには、長いもの、短いもの、厚いもの、薄いものなど、形状の異なる色々な種類のメモリーカードが開発されており、これらに対応してカード用コネクタ装置も様々な種類のものが開発されている。
【０００４】
この場合、今までのカード用コネクタ装置としては１種類のメモリーカードにしか対応していないのがほとんどで、一つのカード用コネクタ装置には特定の一つのメモリーカードしか挿着することができなかった。しかしながら、市場においてはサイズやタイプの異なる色々な種類のメモリーカードを使用できるコンバイン型のカード用コネクタ装置の要求が強まってきており、昨今では、このニーズに対応したコンバイン型のカード用コネクタ装置が開発されて来ている（例えば、特許文献１参照）。
【０００５】
このコンバイン型のカード用コネクタ装置の構造としては、共通ベースとなる一つのコネクタハウジングに、複数のサイズやタイプの異なるメモリーカードを収納できるカード収容部を各々のサイズに合わせて複数個形成して、この各々のカード収容部内に、各々のメモリーカードのコンタクトパッドと接触するコンタクト端子を各々のメモリーカードのコンタクトパッドに対応させた位置にそれぞれ配設してあり、何れかのメモリーカードが挿入された場合に、そのメモリーカードに対応したコンタクト端子とメモリーカードのコンタクトパッドとが電気的に接続されるようになっている。
【０００６】
【特許文献１】
特開２００１−２２３０４４号公報
【０００７】
【発明が解決しようとする課題】
しかしながら、従来のコンバイン型のカード用コネクタ装置の構成では、各メモリーカードのコンタクトパッドに対応して複数のコンタクト端子が配設されており、それらのコンタクト端子の全てがコネクタハウジングの後端部から突出して回路基板に半田付けされるようになっているため、コンタクト端子の引き回しが煩雑化すると共に、コンタクト端子間が近接し半田付けしづらいという問題があった。特に、コネクタ装置の小型化に伴いコンタクト端子間の狭ピッチ化が要求された場合、全てのコンタクト端子をコネクタハウジングの後端部から突出させるのは困難であるという問題があった。
【０００８】
したがって、本発明では上述した問題点を解決し、複数のカード（メモリーカード）を挿着可能なコネクタ装置において、外部に突出するコネクタ端子（コンタクト端子）の本数を減らすことが可能なカード用コネクタ装置を提供することを目的とする。
【０００９】
【課題を解決するための手段】
上記課題を解決するために本発明では第１の解決手段として、異なる大きさの第１のカード及び第２のカードを挿着可能なハウジングと、このハウジングに並設され一端側に前記第１のカードの外部接触片と接触可能な接点部を有し、他端側が前記ハウジングから突出されて半田付け部が形成された複数の第１のコネクタ端子と、前記ハウジングに移動可能に配設されたホルダ部材とを備え、前記ホルダ部材は、前記第２のカードが収納されて第２のカードの排出位置と第２のカードの挿着位置との間をスライド移動可能に配設されると共に、前記ホルダ部材には一端側に前記第２のカードの外部接触片と接触可能な接点部を有し、他端側に接続部が形成された複数の第２のコネクタ端子を並設し、前記第２のカードが前記ホルダ部材に収納されて第２のカードの挿着位置に移動することにより、前記第２のコネクタ端子の接続部と前記第１のコネクタ端子の接点部とが接触して接続する構成とした。
【００１０】
また、第２の解決手段として、前記第１のカードは幅広肉厚に形成され、前記第２のカードは幅狭肉薄に形成され、前記ホルダ部材は前記第１のカードが前記ハウジングに挿入される際には、前記第１のカードの挿入に伴って、前記第１のカードの挿入を妨げない挿入軌跡外に移動すると共に、前記第１のカードが挿着位置に移動することにより、前記第１のカードの外部接触片と前記第１のコネクタ端子の接点部とが接触する構成とした。
また、第３の解決手段として、前記ホルダ部材のカード挿入口側の端部には、カードの厚さ方向に傾斜する傾斜面部が形成され、前記第１のカードが前記ハウジングに挿入される際には、前記第１のカードの前端部が前記傾斜面部に当接して前記ホルダ部材が前記ハウジングの下方へ押し下げられる構成とした。
【００１１】
また、第４の解決手段として、前記ハウジングには、前記ホルダ部材をカードの排出方向へ付勢する付勢部材と、ハート型カム溝と、このハート形カム溝に沿って摺動し前記ホルダ部材をカードの挿着位置に保持するロック部材とを備えた構成とした。
また、第５の解決手段として、前記ハウジングに、カードの挿入及び排出方向にスライド移動可能なスライド部材を備え、このスライド部材に前記ホルダ部材を当接させて前記ホルダ部材を前記第２のカードの排出位置と第２のカードの挿着位置との間をスライド移動可能に配設すると共に、前記スライド部材と前記ハウジングとの間に前記付勢部材及びハート型カム溝とロック部材とを設けた構成とした。
また、第６の解決手段として、前記スライド部材に、前記第１のカードを当接させて前記第１のカードをカードの排出位置とカードの挿着位置との間にスライド移動可能に配設したことを特徴とする請求項５記載のカード用コネクタ装置
【００１２】
【発明の実施の形態】
以下、本発明の実施形態を図１乃至図１０に示す。図１は本発明に係るカード用コネクタ装置の平面図、図２はカード用コネクタ装置の要部の概略断面図、図３は第１のカード挿入途中を示す平面図、図４は同じく要部の概略断面図、図５は第１のカード挿着時を示す平面図、図６は同じく要部の概略断面図、図７は第２のカード挿入途中を示す平面図、図８は同じく要部の概略断面図、図９は第２のカード挿着時を示す平面図、図１０は同じく要部の概略断面図である。
【００１３】
図において、ハウジング１は、合成樹脂などの絶縁材で前方及び上方が開口された方形状の箱形に形成されている。このハウジング１の中央には収納部１ａが設けられており、また、前記ハウジング１には、前記収納部１ａに連続してハウジング１の前面まで延びるカード挿入部１ｂが形成されている。また、前記収納部１ａには、弾性を有する導電性の金属材からなる第１のコネクタ端子２が複数個並設されている。
【００１４】
前記第１のコネクタ端子２は、前記収納部１ａのカード挿入方向の後端側に配設されており、平板状の基部と、この基部から互いに対向する方向へ延出されて形成された接続片２ａ及び接触片２ｂとを有している。前記第１のコネクタ端子２は、一端側に形成された前記接続片２ａが、前記ハウジング１の後方外側面から外方へ突出して配設されており、この接続片２ａの先端に設けられた半田付け部２ｃが電子機器などの外部の回路基板上の回路パターンと半田付けされて固着されることで信号の伝送が行われるものとなる。
【００１５】
また、前記第１のコネクタ端子２の基部の他端側に延出されて形成された前記接触片２ｂが、前記収納部１ａ内に突出して配設されたものとなっている。また、前記接触片２ｂの先端側には、後述する第１のカード１３の外部接触片１３ａに接続される接点部２ｄが形成されている。
【００１６】
また、前記ハウジング１の一側部には、後述するスライド部材１０をカードの排出方向へ付勢するコイルばねからなる付勢部材３を収容するばね収容部１ｃが形成されている。また、このばね収容部１ｃと対向する一端側には、後述するロック部材１１と協働してスライド部材１０をカードの挿着位置に保持するハート型カム溝１ｄが形成されている。
【００１７】
また、前記収納部１ａには、合成樹脂などの絶縁材からなるホルダ部材４がスライド移動可能に配設されている。このホルダ部材４は、外形形状が後述する第１のカード１３と略同一に形成されており、このホルダ部材４には、後述する第２のカード１４が収容される上面と前面が開口された収容部４ａが形成されている。この収容部４ａに第２のカード１４が収容されて第２のカード１４の排出位置と第２のカード１４の挿着位置との間をスライド移動可能に配設されている。
【００１８】
また、ホルダ部材４のカード挿入方向の後端側には、弾性を有する導電性の金属材からなる第２のコネクタ端子５が複数個並設されている。この第２のコネクタ端子５は、前記ホルダ部材４の内部に埋設された平板状の基部と、この基部から互いに対向する方向へ延出されて形成された接続片５ａ及び接触片５ｂとを有している。
【００１９】
前記第２のコネクタ端子５は、後方側に形成された前記接続片５ａが、前記ホルダ部材４の底面側に設けられた切溝部４ｂに表出されて配設されており、この表出された先端に接続部５ｃが設けられている。ホルダ部材４が第２のカード１４の挿入に伴って第２のカード１４の挿着位置に挿着された時に、この接続部５ｃが第１のコネクタ端子２の接点部２ｄと接触して電気的に接続されるものとなる。そして、第１のコネクタ端子２の接続片２ａを介して電子機器などの外部の回路基板上の回路パターンと半田付けされて固着されることで信号の伝送が行われるものとなる。
【００２０】
また、前記第２のコネクタ端子５の基部の前方側に延出されて形成された前記接触片５ｂが、収容部４ａに設けられた窓孔４ｃを介して前記収容部４ａ内に突出して配設されたものとなっている。また、前記接触片５ｂの先端側には、後述する第２のカード１４の外部接触片１４ａに接続される接点部５ｄが形成されている。
【００２１】
また、前記ホルダ部材４のカード挿入口側の端部には、カードの厚さ方向に傾斜する第１、第２の傾斜面部４ｄ、４ｅが形成されている。これら傾斜面部４ｄ、４ｅは、カード挿入口側の端部から挿入方向に向かって立ち上がるように斜面が形成されており、これら傾斜面部４ｄ、４ｅを設けることにより、後述する第１のカード１３が前記ハウジング１の収納部１ａに挿入される際には、第１のカード１３の前端部の下面側が前記傾斜面部４ｄ、４ｅに当接して摺動することにより、第１のカード１３の挿入に伴って前記ホルダ部材４が下方へ押し下げられるものとなっている。
【００２２】
また、前記ホルダ部材４には、対向した両側部に一対のばね片６が設けられている。このばね片６は、第２のコネクタ端子５と同じ弾性を有する金属材で形成されており、一対のばね片６、６の先端はハウジング１の収納部１ａの内底面にばね性を持って付勢されている。また、前記ハウジング１の後端側で第１のコネクタ端子２が配設された中央位置には、同じく第１のコネクタ端子２と同じ弾性を有する金属材からなるばね片７が収納部１ａ内へ突出されて形成されており、このばね片７の先端はホルダ部材４のカード挿入方向の先端側の底面側にばね性を持って付勢されている。
ホルダ部材４は、前記一対のばね片６、６及び、ばね片７とによってハウジング１の収納部１ａの上方位置である、カード挿入部１ｂのカード挿入高さ位置に付勢されて保持されている。
【００２３】
また、ハウジング１の一側面側には、カード挿着検出用の第１検出スイッチ部８と、ライトプロテクト用の第２検出スイッチ部９がそれぞれ設けられている。このカード挿着検出用の第１検出スイッチ部８は、図示しない接点部と、軸８ａによって回動可能に軸支され、この接点部を接離させるアクチュエータ８ｂとから構成されており、後述する第１及び第２のカード１３、１４が収納部１ａに挿着された時、カードの先端部あるいはホルダ部材４の先端部によって前記アクチュエータ８ｂが下方へ押圧されることで図示しない接点部が接離され、カードが収納部１ａに挿着されたことを検出するものとなる。
【００２４】
また、ライトプロテクト用の第２検出スイッチ部９は、同じく図示しない接点部と、軸９ａによって回動可能に軸支され、この接点部を接離させるアクチュエータ９ｂとから構成されている。この第２検出スイッチ部９は、第１のカード１３が挿入されたとき、第１のカード１３の側面部に設けられているライトプロテクト用のノブ１３ｂの設定位置によって前記アクチェータ９ｂが下方へ押圧されるか、否かで図示しない接点部が接離されるのを検出することにより、ライトプロテクトを行なうようになっている。
【００２５】
スライド部材１０は、合成樹脂などの絶縁材から略逆Ｌ字状に形成されている。
このスライド部材１０の前端側には、ホルダ部材４の前端部及び後述する第１のカード１３の前端部が当接してカードの挿入方向へ移動する際の当接部１０ａが設けられている。
【００２６】
また、前記スライド部材１０の先端部には、前記ハウジング１のばね収容部１ｃに収容された、前記付勢部材３の一端部が係止されるばね係止部が設けられており、また前記スライド部材１０の一端側には、前記ハウジング１の一端側に形成された前記ハート型カム溝１ｄに摺接される金属の線材からなるロック部材１１の一端が回動可能に軸支されると共に、このロック部材１１を前記ハート型カム溝１ｄへ付勢する板ばね１２が保持されている。そして、前記ロック部材１１と前記ハート型カム溝１ｄとの協働によって前記スライド部材１０は、前記付勢部材３の付勢力に抗してカードの挿着位置に保持されるものとなっている。
【００２７】
尚、前記ハウジング１の収納部１ａの上面側には、図示しない金属板からなるカバー部材が、前記ハウジング１の上面側の開口部を覆うように取り付けられている。また、このカバー部材は前記ハウジング１の収納部１ａに配設された前記第１及び第２のコネクタ端子２、５の上面を覆うように形成されており、外部からの輻射ノイズ等の侵入を防止するシールド板の役目も果たすものとなっている。
【００２８】
第１のカード１３は、図３、図５に２点鎖線で示している。この第１のカード１３は、例えば、ＳＤカード（セキュアーデジタルカード）で、内部に集積回路（ＩＣ）が収納されており、記録媒体として使用されるものである。この第１のカード１３の一表面には、その一端側に複数の外部接触片１３ａが形成されており、この外部接触片１３ａが前記ハウジング１の収納部１ａに配設された前記第１のコネクタ端子２の接触片２ｂの接点部２ｄと接触することにより、外部に接続された電子機器との種々の情報処理が行われるものとなっている。
【００２９】
前記第１のカード１３が前記ハウジング１の収納部１ａに挿入された時、前記第１のカード１３の前端部が前記スライド部材１０の当接部１０ａに当接することによって、前記スライド部材１０が前記第１のカード１３の挿入に伴って挿入方向へ移動可能となるように形成されている。
また、第１のカード１３の一側面にはライトプロテクト用の設定用ノブ１３ｂがスライド可能に設けられている。
【００３０】
第２のカード１４は、図７、図９に２点鎖線で示している。この第２のカード１４は、例えば、ＳＤ−ＭＩＮＩカード（セキュアーデジタル−ミニカード）で、同じく内部に集積回路（ＩＣ）が収納されており、記録媒体として使用されるものである。この第２のカード１４の一表面には、その一端側に複数の外部接触片１４ａが形成されている。
【００３１】
この第２のカード１４がハウジング１の収納部１ａに挿入される際には、第２のカード１４はホルダ部材４の収容部４ａに収容されるものとなり、外部接触片１４ａがホルダ部材４の収容部４ａに配設された前記第２のコネクタ端子５の接触片５ｂの接点部５ｄと接触するものとなる。そして、ホルダ部材４がカード挿着位置に移動した際には、ホルダ部材４の底面側から表出した接続片５ａの接続部５ｃが、第１のコネクタ端子２の接点部２ｄと接続されることにより、外部に接続された電子機器との種々の情報処理が行われるものとなっている。
【００３２】
前記第２のカード１４が前記ホルダ部材４の収容部４ａに挿入された時、前記ホルダ部材４の前端部が前記スライド部材１０の当接部１０ａに当接することによって、前記スライド部材１０が前記第２のカード１４の挿入に伴ってホルダ部材４と共に挿入方向へ移動可能となるように形成されている。
【００３３】
尚、前記第２のカード１４は、前記第１のカード１３に比較して、カードの大きさが小さく作成されており、前記第１のカード１３よりも厚さ寸法が薄く、且つ左右方向の幅寸法が狭く形成され、第１のカード１３の幅広肉厚に対して幅狭肉薄に形成されたものとなっている。
【００３４】
上記構成のように、大きさ寸法の異なる、それぞれの第１のカード１３、及び第２のカード１４をハウジング１のカード挿入部１ｂに挿入する場合、上記実施例の構成においては、第２のカード１４よりも寸法の厚い第１のカード１３を挿入する際には、ホルダ部材４の第１及び第２の傾斜面部４ｄ、４ｅに、第１のカード１３の前端部が当接して下方に押圧することにより、ホルダ部材４を下方に移動させて第１のカード１３の挿入を妨げない挿入軌跡外の位置へ待避させるようにしている。
【００３５】
次に、図３乃至図１０を用いて前記第１のカード１３、及び第２のカード１４をコネクタ装置に挿入する場合の動作を説明する。
第１のカード１３を挿入する場合には、まず、図１及び図２に示す初期の状態、すなわち第１のカード１３の未挿入時には、スライド部材１０は付勢部材３の付勢力によりカードの排出方向へ付勢されており、ホルダ部材４もばね片６、７によりカード挿入部１ｂのカード挿着高さ位置へ付勢されている。
【００３６】
次に、第１のカード１３が、ハウジング１のカード挿入部１ｂに挿入されると、第１のカード１３の前端部が、前記ホルダ部材４の前端部に形成された第１及び第２の傾斜面部４ｄ、４ｅに当接され、摺動し、第１のカード１３の挿入に伴って前記ホルダ部材４をばね片６、７の付勢力に抗して下方へ押し下げる。この時、前記ホルダ部材４に配設された前記第２のコネクタ端子５の接触片５ｂも共に下方へ移動するものとなる。
【００３７】
この状態から更に、第１のカード１３が挿入されると、第１のカード１３の前端部が、スライド部材１０の当接部１０ａに当接されるものとなる。この時、第１のカード１３の底面部が、ホルダ部材４の傾斜面部４ｄ、４ｅに当接して下方へ押し下げることにより、第２のコネクタ端子５の接触片５ｂもホルダ部材４と共に下方へ移動することで第１のカード１３の底面と第２のコネクタ端子５の接触片５ｂとが離間され擦れるのが回避されるものとなる。
この時、第１のカード１３の外部接触片１３ａは第１のコネクタ端子２の接触片２ｂの接点部２ｄとは離間している。（図３、図４）
【００３８】
このように、第１のカード１３がハウジング１のカード挿入部１ｂに挿入される際には、第１のカード１３の前端部がホルダ部材４の第１及び第２の傾斜面部４ｄ、４ｅに当接してホルダ部材４がハウジング１の下方へ押し下げられるようにしてあるので、簡単な構成で、確実に、ホルダ部材４を第１のカード１３の挿入を妨げない位置へ移動させることができるものとなっている。
【００３９】
次に、第１のカード１３をカードの挿入方向へ押圧してやると、スライド部材１０が第１のカード１３の挿入に伴って挿入方向へ移動可能となり、付勢部材３の付勢力に抗して記スライド部材１０がカードの挿入方向へ移動して、ロック部材１１の一端部がハート型カム溝１ｄをトレースしてロック位置にロックされ第１のカード１３が収納部１ａに挿着される。この時、第１のカード１３の外部接触片１３ａは第１のコネクタ端子２の接触片２ｂの接点部２ｄと接触するものとなる。（図５、図６）
【００４０】
このように、ハウジング１に、第１のカード１３の前端部と当接して下方へ移動するホルダ部材４を設けることにより、第１のカード１３が挿入される際には、ホルダ部材４と共に第２のコネクタ端子５の接触片５ｂを下方へ押し下げるようにしてあるので、第１のカード１３を挿入する場合においてもカードの底面と第２コネクタ端子５の接触片５ｂとが擦れて摩耗することがなく、確実に第１のカード１３を挿着することができるものとなっている。
また、スライド部材１０に、第１のカード１３を当接させて第１のカード１３をカードの排出位置とカードの挿着位置との間にスライド移動可能に配設したことから、第１のカード１３の挿入時には、確実に、第１のカード１３をカードの挿着位置に保持することができるものとなっている。
【００４１】
図５及び図６に示す状態から、第１のカード１３を排出するには、更に第１のカード１３を一旦挿入方向に押圧することにより、ロック部材１１がハートカム溝１ｄのロック位置から外れ、付勢部材３の付勢力によってスライド部材１０がカードの排出方向へ移動して、このスライド部材１０と共に第１のカード１３が排出位置まで排出されるものとなる。
【００４２】
このように、ハウジング１に、スライド部材１０をカードの排出方向へ付勢する前記付勢部材３と、スライド部材１０を付勢部材３の付勢力に抗してカード挿着位置に保持するロック機構を設けるようにしたので、第１のカード１３を排出する際には、付勢部材３の付勢力を利用することにより第１のカード１３を容易に排出することができる。
【００４３】
また、ロック機構として、ハウジング１に設けたハート型カム溝１ｄと、このハート型カム溝１ｄに沿って摺動するロック部材１１とを形成し、カード挿着位置において、第１のカード１３を一旦挿入方向へ押圧することによりロックを解除させるようにしたことから、第１のカード１３をカードの挿着位置へロックしたり、ロックを解除させることが容易に行え、カード挿抜時の操作性を向上することができるものとなる。
【００４４】
次に、第２のカード１４を挿入する場合には、図１及び図２に示す初期の状態、すなわち第２のカード１４の未挿入時には、スライド部材１０は付勢部材３の付勢力によりカードの排出方向へ付勢されており、ホルダ部材４もばね片６、７によりカード挿入部１ｂのカード挿入高さ位置へ付勢されている。
【００４５】
次に、第２のカード１４がカード挿入部１ｂに挿入されると、第２のカード１４はカード挿入部１ｂび位置したホルダ部材４の収容部４ａに収容される。この時、第２のカード１４は第１のカード１３に比べて幅狭肉薄の寸法のため、ホルダ部材４の前端部に形成された第１及び第２の傾斜面部４ｄ、４ｅとは当接せずに収容部４ａに収容されるものとなる。
この時、第２のカード１４の外部接触片１４ａはホルダ部材４に配設された第２のコネクタ端子５の接触片５ｂの接点部５ｄと接触する。（図７、図８）
【００４６】
次に、第２のカード１４をカードの挿入方向へ押圧してやると、ホルダ部材４ｂの前端部と当接部１０ａで当接しているスライド部材１０が、第２のカード１４の挿入に伴って挿入方向へ移動可能となり、付勢部材３の付勢力に抗してスライド部材１０がカードの挿入方向へ移動して、ロックピン１１の一端部がハート型カム溝１ｄをトレースしてロック位置にロックされる。そして、第２のカード１４の外部接触片１４ａと接続されたホルダ部材４の接続片５ａの接続部５ｃが第１のコネクタ端子２の接触片２ｂの接点部２ｄと接触するものとなる。（図９、図１０）
【００４７】
このように、ホルダ部材４は、第２のカード１４が挿入される際には、第２のカード１４を収容部４ａに収容し、第１のカード１３が挿入される際には、第１のカード１３の前端部と第１及び第２の傾斜面部４ｄ、４ｅが当接して押し下げることにより挿入軌跡外の位置に移動するようになっているので、第２のカード１４の挿入時には第２のカード１４の外部接触片１４ａと第２のコネクタ端子５の接点部５ｄとを確実に接触させることができると共に、第１のカード１３の挿入時には第２のコネクタ端子５の接点部５ｄとは接触することなしに奥方側に配設された第１のコネクタ端子２の接点部２ｄと第１のカード１３の外部接触片１３ａとが確実に接触するものとなっている。
したがって、第１のカード１３の挿入を円滑に行えると共に、第１のコネクタ端子２との接続を確実に行えるものとなっている。
【００４８】
図９及び図１０に示す状態から、第２のカード１４を排出するには、同じように、更に第２のカード１４を一旦挿入方向に押圧することにより、ロック部材１１がハートカム溝１ｄのロック位置から外れ、付勢部材３の付勢力によってスライド部材１０がカードの排出方向へ移動して、このスライド部材１０と共に第２のカード１４が排出位置まで排出されるものとなる。
【００４９】
上記した実施例によれば、ホルダ部材４は、第２のカード１４が収納されて第２のカード１４の排出位置と第２のカード１４の挿着位置との間をスライド移動可能に配設されると共に、ホルダ部材４には一端側に第２のカード１４の外部接触片１４ａと接触可能な接点部５ｄを有し、他端側に接続部５ｃが形成された複数の第２のコネクタ端子５を並設し、第２のカード１４がホルダ部材４に収納されて第２のカード１４の挿着位置に移動することにより、第２のコネクタ端子５の接続部５ｃと第１のコネクタ端子２の接点部２ｄとが接触して接続するようにしてあるので、第１のカード１３に対応して配設された第１のコネクタ端子２を利用することにより第２のカード１４に対する信号の送受を行うことができるため、第２のカード１４に対応して第２のコネクタ端子５をハウジング１から突出して配設する必要がないので、外部へ突出させるコネクタ端子の本数を削減することが可能となっている。
【００５０】
【発明の効果】
以上説明したように、本発明のカード用コネクタ装置は、異なる大きさの第１のカード及び第２のカードを挿着可能なハウジングと、ハウジングに並設され一端側に第１のカードの外部接触片と接触可能な接点部を有し、他端側がハウジングから突出されて半田付け部が形成された複数の第１のコネクタ端子と、ハウジングに移動可能に配設されたホルダ部材とを備え、ホルダ部材は、第２のカードが収納されて第２のカードの排出位置と第２のカードの挿着位置との間をスライド移動可能に配設されると共に、ホルダ部材には一端側に第２のカードの外部接触片と接触可能な接点部を有し、他端側に接続部が形成された複数の第２のコネクタ端子を並設し、第２のカードがホルダ部材に収納されて第２のカードの挿着位置に移動することにより、第２のコネクタ端子の接続部と第１のコネクタ端子の接点部とが接触して接続することから、第１のカードに対応して配設された第１のコネクタ端子を利用することにより第２のカードに対する信号の送受を行うことができるため、第２のカードに対応して第２のコネクタ端子をハウジングから突出して配設する必要がないので、外部へ突出させるコネクタ端子の本数を削減することが可能となる。
【００５１】
また、第１のカードは幅広肉厚に形成され、第２のカードは幅狭肉薄に形成され、ホルダ部材は第１のカードがハウジングに挿入される際には、第１のカードの挿入に伴って、第１のカードの挿入を妨げない挿入軌跡外に移動すると共に、第１のカードが挿着位置に移動することにより、第１のカードの外部接触片と第１のコネクタ端子の接点部とが接触することから、第１のカードの挿入を円滑に行えると共に、第１のコネクタ端子との接続を確実に行える。
【００５２】
また、ホルダ部材のカード挿入口側の端部には、カードの厚さ方向に傾斜する傾斜面部が形成され、第１のカードがハウジングに挿入される際には、第１のカードの前端部が傾斜面部に当接してホルダ部材がハウジングの下方へ押し下げられることから、簡単な構成で、確実に、ホルダ部材を第１のカードの挿入を妨げない位置へ移動させることができる。
【００５３】
また、ハウジングには、ホルダ部材をカードの排出方向へ付勢する付勢部材と、ハート型カム溝と、このハート形カム溝に沿って摺動しホルダ部材をカードの挿着位置に保持するロック部材とを備えたことから、第２のカードの挿入時には、確実に、第２のカード及びホルダ部材をカードの挿着位置に保持することができる。
【００５４】
また、ハウジングに、カードの挿入及び排出方向にスライド移動可能なスライド部材を備え、スライド部材にホルダ部材を当接させてホルダ部材を第２のカードの排出位置と第２のカードの挿着位置との間をスライド移動可能に配設すると共に、スライド部材とハウジングとの間に付勢部材及びハート型カム溝とロック部材とを設けたことから、カードのロック機構を簡単に形成でき、カードの挿着位置へのロック及びロック解除が容易に行え、カードの挿入及び排出時の操作性を向上できる。
【００５５】
また、スライド部材に、第１のカードを当接させて第１のカードをカードの排出位置とカードの挿着位置との間にスライド移動可能に配設したことから、第１のカードの挿入時には、確実に、第１のカードをカードの挿着位置に保持することができる。
【図面の簡単な説明】
【図１】本発明のカード用コネクタ装置を示す平面図である。
【図２】本発明のカード用コネクタ装置を示す要部の概略断面図である。
【図３】本発明のカード用コネクタ装置の第１のカード挿入途中を示す平面図である。
【図４】本発明の同じく第１のカード挿入途中を示す要部の概略断面図である。
【図５】本発明のカード用コネクタ装置の第１のカード挿着時を示す平面図である。
【図６】本発明の同じく第１のカード挿着時を示す要部の概略断面図である。
【図７】本発明のカード用コネクタ装置の第２のカード挿入途中を示す平面図である。
【図８】本発明の同じく第２のカード挿入途中を示す要部の概略断面図である。
【図９】本発明のカード用コネクタ装置の第２のカード挿着時を示す平面図である。
【図１０】本発明の同じく第２のカード挿着時を示す要部の概略断面図である。
【符号の説明】
１  ハウジング
１ａ  収納部
１ｂ  カード挿入部
１ｃ  ばね収容部
１ｄ  ハート型カム溝
２  第１のコネクタ端子
２ａ  接続片
２ｂ  接触片
２ｃ  半田付け部
２ｄ  接点部
３  付勢部材
４  ホルダ部材
４ａ  収容部
４ｂ  切溝部
４ｃ  窓孔
４ｄ  第１の傾斜面部
４ｅ  第２の傾斜面部
５  第２のコネクタ端子
５ａ  接続片
５ｂ  接触片
５ｃ  接続部
５ｄ  接点部
６，７  ばね片
８  第１検出スイッチ部
８ａ  軸
８ｂ  アクチュエータ
９  第２検出スイッチ部
９ａ  軸
９ｂ  アクチュエータ
１０  スライド部材
１０ａ  当接部
１１  ロック部材
１２  板ばね
１３  第１のカード
１３ａ  外部接触片
１３ｂ  ノブ
１４  第２のカード
１４ａ  外部接触片
【図１】
2005050615.tif 000003
【図２】
2005050615.tif 000004
【図３】
2005050615.tif 000005
【図４】
2005050615.tif 000006
【図５】
2005050615.tif 000007
【図６】
2005050615.tif 000008
【図７】
2005050615.tif 000009
【図８】
2005050615.tif 000010
【図９】
2005050615.tif 000011
【図１０】
2005050615.tif 000012